(57)【要約】【課題】フェンダーパネルの上端縁における撓みを効果的に防止することのできるシール構造を提供する。【解決手段】フロントガラス１２の前端部両側に対応して整流板１３が設けられる。整流板１３の内周側かつ下端側がフロントガラス１２に当接し、外周側にはフードパネル１４、フェンダーパネル１５等が位置している。整流板１３はＥＰＤＭソリッドゴムにより一体成形されている。中間のコーナー部よりも後ろ側の区間においては、断面略Ｌ字状を成し、当該部位を覆うようにフェンダーパネル１５の頂部が位置する。当該断面略Ｌ字状をなす部位に、やはり断面略Ｌ字状の硬質樹脂製のインサート部材２５が埋設されている。フェンダーパネル１５の上側から押さえ付け力が加わった場合でも、インサート部材２５の剛性によって整流板１３の変形が規制され、形状が維持される。【選択図】      図６
2006131011.tif 000002
【特許請求の範囲】
【請求項１】
少なくともフロントガラス前角部とフェンダーパネルとの間をシールするべく、弾性素材よりなるシール部材を用いてなるシール構造であって、
前記フェンダーパネルの上側からの押さえ付け方向に延びる硬質のインサート部材を、前記シール部材に埋設したことを特徴とするシール構造。
【請求項２】
少なくともフロントガラス前角部とフェンダーパネルとの間をシールするべく、弾性素材よりなる平面視略へ字状のシール部材を用いてなるシール構造であって、
前記シール部材のうち、少なくともフロントガラス前角部とフェンダーパネルとの間の所定区間が、断面Ｌ字状をなすよう構成するとともに、少なくとも当該断面Ｌ字状の部位に、断面Ｌ字状の硬質のインサート部材を埋設したことを特徴とするシール構造。
【請求項３】
前記シール部材は、フロントガラス前部に対応して設けられるカウルルーバの両側に設けられていることを特徴とする請求項１又は２に記載のシール構造。
【請求項４】
前記インサート部材は、硬質樹脂材料よりなることを特徴とする請求項１乃至３のいずれかに記載のシール構造。
【発明の詳細な説明】
【技術分野】
【０００１】
本発明は、自動車の少なくともフロントガラス前角部とフェンダーパネルとの間をシールするべく、弾性素材よりなるシール部材を用いてなるシール構造に関するものである。
【背景技術】
【０００２】
従来、自動車のフロントガラスの前角部に対応して、整流板と称されるシール部材が設けられる（例えば、特許文献１，２等参照）。この整流板は、フロントガラス前角部とフェンダーパネルとの間に位置し、両者間をシールする機能、前方からの気流を整流する機能、並びに、フードパネル（ボンネット）、カウルルーバトップ、フェンダーパネルの各端縁部を隠して意匠性の向上を図る機能等を具備している。
【特許文献１】特開平４−６３７４３号公報
【特許文献２】実開平１−５９７７９号公報
【発明の開示】
【発明が解決しようとする課題】
【０００３】
ところで、例えば図７に示すように、フェンダーパネル５１の頂部が自由端となっている区間があり、当該区間において上からの応力がかかると、フェンダーパネル５１が比較的容易に撓んでしまうおそれがある。ここで、フェンダーパネル５１の頂部とフロントガラス５２との間には、前述したような整流板５３が存在するが、整流板５３自体は弾性素材よりなるものであり、これによって撓みを抑制することは事実上困難であった。
【０００４】
本発明は上記問題点を解決するためになされたものであって、その目的は、フェンダーパネルの上端縁における撓みを効果的に防止することのできるシール構造を提供することにある。
【課題を解決するための手段】
【０００５】
以下、上記目的等を解決するのに適した各手段につき項分けして説明する。なお、必要に応じて対応する各手段に特有の作用効果等を付記する。
【０００６】
手段１．少なくともフロントガラス前角部とフェンダーパネルとの間をシールするべく、弾性素材よりなるシール部材を用いてなるシール構造であって、
前記フェンダーパネルの上側からの押さえ付け方向に延びる硬質のインサート部材を、前記シール部材に埋設したことを特徴とするシール構造。
【０００７】
手段１によれば、弾性素材よりなるシール部材によって、少なくともフロントガラス前角部とフェンダーパネルとの間がシールされる。シール部材には、硬質のインサート部材がフェンダーパネルの上側からの押さえ付け方向に延びるようにして埋設されている。このため、フェンダーパネルの上側から押さえ付け力が加わった場合でも、インサート部材の剛性によってシール部材の変形が規制され、形状が維持されることとなる。従って、フェンダーパネルの上側から押さえ付け力が加わった場合でも、自由端となっているフェンダーパネルの上端縁が撓んでしまうことがない。結果として、シール部材にさらなる機能を付与することができる。
【０００８】
手段２．少なくともフロントガラス前角部とフェンダーパネルとの間をシールするべく、弾性素材よりなる平面視略へ字状のシール部材を用いてなるシール構造であって、
前記シール部材のうち、少なくともフロントガラス前角部とフェンダーパネルとの間の所定区間が、断面Ｌ字状をなすよう構成するとともに、少なくとも当該断面Ｌ字状の部位に、断面Ｌ字状の硬質のインサート部材を埋設したことを特徴とするシール構造。
【０００９】
手段２によれば、基本的には手段１と同様の作用効果が奏される。また特に、シール部材のうち、少なくともフロントガラス前角部とフェンダーパネルとの間の所定区間が、断面Ｌ字状をなすよう構成されるとともに、少なくとも当該断面Ｌ字状の部位に、断面Ｌ字状の硬質のインサート部材が埋設されている。このため、シール部材が倒れてしまうことがなく、より確実にシール部材の形状が維持されやすいものとなる。その結果、上述した作用効果をより一層確実に奏せしめることができる。尚、「前記シール部材は、前方からの気流を整流する機能を具備していること」としてもよい。
【００１０】
手段３．前記シール部材は、フロントガラス前部に対応して設けられるカウルルーバの両側に設けられていることを特徴とする手段１又は２に記載のシール構造。
【００１１】
手段３によれば、シール部材に、カウルルーバの端縁の外観悪化を防止する機能を付与せしめることができる。
【００１２】
手段４．前記シール部材は、カウルルーバの両側に一体的に成形されていることを特徴とする手段３に記載のシール構造。
【００１３】
手段４のように、シール部材をカウルルーバの両端に一体化させることとしてもよい。かかる構成を採用することで、部品点数の低減、作業工数の低減等を図ることができる。
【００１４】
手段５．前記インサート部材は、硬質樹脂材料よりなることを特徴とする手段１乃至３のいずれかに記載のシール構造。
【００１５】
手段５によれば、インサート部材を金属等で構成した場合に比べ、シール部材の飛躍的な軽量化を図ることができる。また、シール部材を構成する弾性素材と相溶性のある素材を、インサート部材の素材として採用することで、シール部材とインサート部材とのより一層の一体化を図ることができ、両者の相対的な位置ずれ等をより確実に抑制できる。
【００１６】
尚、「前記シール部材は、ＴＰＯ（オレフィン系熱可塑性エラストマー）よりなり、前記インサートはＰＰ（ポリプロピレン）よりなること」、或いは、「前記シール部材は、ＥＰＤＭ（エチレン・プロピレン・ジエン非共役共重合体）よりなり、前記インサートはポリアミドよりなること」としてもよい。
【発明を実施するための最良の形態】
【００１７】
以下に、一実施形態について図面を参照しつつ説明する。図１において、自動車１１のフロントガラス１２の前端部に対応して、カウルルーバ（図示略）が設けられ、その両側に、シール部材としての整流板１３が設けられている。整流板１３は、平面視略へ字状をなし、その内周側かつ下端側が、フロントガラス１２に当接している。また、外周側には、フードパネル（ボンネット）１４、フェンダーパネル１５等が位置している。また、フェンダーパネル１５の後方には、後方ほど高位置となるよう傾斜するフロントピラー１６が設けられている。
【００１８】
図２は自動車の右前部に設けられる整流板１３を示す斜視図であり、図３，４，５，６は、それぞれ図２のＪ−Ｊ線、Ｋ−Ｋ線、Ｌ−Ｌ線、Ｍ−Ｍ線の断面端面図である。
【００１９】
これらの図に示すように、整流板１３は、略平板状の本体部２１を具備しているとともに、フロントガラス１２に向かって延びるリップ部２２を備えており、これらはＥＰＤＭソリッドゴムにより一体成形されている。また、例えば図３に示すように、本体部２１には、係止突起２３が一体形成されている。そして、当該係止突起２３がボディパネル１７に形成された係止孔１８に嵌め込まれることで、整流板１３がボディパネル１７に取付けられている。勿論、これ以外にも他の取付部材（例えば両面接着テープやクリップ等）で整流板１３が取付けられる構成となっていてもよい。また、例えば図４に示すように、本体部２１には、長手方向に沿って延びる複数条のリブ２４が一体形成されている。
【００２０】
さらに、本体部２１は、中間のコーナー部よりも後ろ側の区間においては、断面略Ｌ字状を成しており（図５，６参照）、丁度当該部位を覆うようにして、フェンダーパネル１５の頂部が位置している。つまり、当該部位においては、整流板１３により、フロントガラス１２前角部とフェンダーパネル１５との間がシールされるようになっている。
【００２１】
そして、当該断面略Ｌ字状をなす部位に、やはり断面略Ｌ字状の硬質樹脂（本実施形態ではＰＡ（ポリアミド））製のインサート部材２５が埋設されている。インサート部材２５には、図示しない透孔が多数形成されており、当該透孔内に本体部２１を構成するＥＰＤＭが回り込んでいる。これにより、インサート部材２５は、本体部２１内において、位置ずれすることなく、その埋設状態が維持されるようになっている。
【００２２】
次に、上述したシール構造によって奏される作用効果について説明する。基本的に、上記整流板１３の存在によって、フロントガラス１２前角部とフェンダーパネル１５との間をシールする機能、前方からの気流を整流する機能、並びに、フードパネル１４、カウルルーバトップ、フェンダーパネル１５の各端縁部を隠して意匠性の向上を図る等の各種機能が発揮される。
【００２３】
これらに加えて、本実施形態では、整流板１３の本体部２１内には、硬質のインサート部材２５がフェンダーパネルの上側からの押さえ付け方向に延びるようにして埋設されている。このため、フェンダーパネル１５の上側から押さえ付け力が加わった場合でも、インサート部材２５の剛性によって整流板１３の変形が規制され、形状が維持されることとなる。従って、フェンダーパネル１５の上側から押さえ付け力が加わった場合でも、自由端となっているフェンダーパネル１５の上端縁が撓んでしまうことがない。結果として、整流板１３にフェンダーパネル１５の撓み防止機能を付与することができる。
【００２４】
また特に、整流板１３のうち、断面Ｌ字状をなす部位に、前記断面Ｌ字状のインサート部材２５が埋設されている。このため、整流板１３が倒れてしまうことがなく、より確実に整流板１３の形状が維持されやすいものとなる。その結果、上述した作用効果をより一層確実に奏せしめることができる。
【００２５】
さらに、前記インサート部材２５を硬質樹脂材料たるポリアミドにより構成した。このため、金属等で構成した場合に比べ、整流板１３の飛躍的な軽量化を図ることができる。
【００２６】
尚、上記実施形態の記載内容に限定されず、例えば次のように実施してもよい。勿論、以下において例示しない他の応用例、変更例も当然可能である。
【００２７】
（ａ）上記実施形態では、整流板１３を、フロントガラス１２前部に対応して設けられるカウルルーバの両側に別体で設けられる場合について具体化しているが、カウルルーバの両側に整流板を一体的に成形することとしてもよい。この場合、カウルルーバの端縁の外観悪化を防止できるのみならず、部品点数の低減、作業工数の低減等を図ることができる。尚、この場合には、カウルルーバを構成する素材と同一又は同等の素材で整流板部を構成するのが望ましい。例えば、カウルルーバ及び整流板部の本体部をＴＰＯにより構成し、インサート部材をＰＰにより構成するといった具合である。
【００２８】
（ｂ）上記実施形態ではインサート部材２５を板状体により構成したが、複数本のフレームを柵状或いは格子状に組み合わせることで構成してもよいし、場合によっては断面略Ｌ字状としなくてもよい。
【００２９】
（ｃ）上記実施形態では、シール部材として整流機能を具備する整流板１３に具体化しているが、必ずしも整流機能を具備していなくともよい。
【図面の簡単な説明】
【００３０】
【図１】一実施形態における自動車及び整流板の配設位置等を説明するための模式図である。
【図２】整流板を示す斜視図である。
【図３】シール構造を説明する図であって、図２のＪ−Ｊ線断面端面図である。
【図４】シール構造を説明する図であって、図２のＫ−Ｋ線断面端面図である。
【図５】シール構造を説明する図であって、図２のＬ−Ｌ線断面端面図である。
【図６】シール構造を説明する図であって、図２のＭ−Ｍ線断面端面図である。
【図７】従来技術のシール構造の一例を示す断面模式図である。
【符号の説明】
【００３１】
１２…フロントドア、１３…シール部材としての整流板、１４…フードパネル、１５…フェンダーパネル、２１…本体部、２２…リップ部、２５…インサート部材。
【図１】
2006131011.tif 000003
【図２】
2006131011.tif 000004
【図３】
2006131011.tif 000005
【図４】
2006131011.tif 000006
【図５】
2006131011.tif 000007
【図６】
2006131011.tif 000008
【図７】
2006131011.tif 000009